(57)【要約】【課題】本発明はクラウドコンピューティングにより制御されるインテリジェントLEDランプ及びそのランプシェードを開示した。【解決手段】装置主体、前記装置主体の中に設置される断続開閉装置、前記装置主体の中に設置される切換え装置及び前記装置主体の中に設置される昇降装置を含み、前記断続開閉装置が前記装置主体の中に設置されるキャビティを含み、前記キャビティの上側内壁の中に第一スライドキャビティが設置され、本装置の断続開閉装置とインテリジェントLEDランプのクラウドコンピューティングにより制御する各種のモードの照明とが結合し、これにより本装置の照明がより魅力的になり、雰囲気がよりよくなり、普段使用しない場合は、インテリジェントLEDランプを装置の中にリセットし、これによりLEDランプを保護することもできる。【選択図】図１
2020072073.tif 000002
【特許請求の範囲】
【請求項１】
装置主体、前記装置主体の中に設置される断続開閉装置、前記装置主体の中に設置される切換え装置及び前記装置主体の中に設置される昇降装置を含み、前記断続開閉装置が前記装置主体の中に設置されるキャビティを含み、前記キャビティの上側内壁の中に第一スライドキャビティが設置され、前記キャビティの左右側内壁の中には前記第一スライドキャビティに連通する第二スライドキャビティが対称で設置され、前記キャビティの下側内壁の中には前記第二スライドキャビティの下側と連通する第三スライドキャビティが設置され、前記第一スライドキャビティの中には上下にスライドできる第一スライドブロックが設置され、前記第一スライドブロックの左右端には対称的な且つ前記第二スライドキャビティの中に延伸する上下にスライドできる第二スライドブロックが固定的に接続され、前記第二スライドブロックの下端が前記第三スライドキャビティの中に延伸し、前記第二スライドブロックの下端には上下にスライドできる第三スライドブロックが固定的に接続され、前記第三スライドブロックの下端に振動ばねが固定的に接続され、前記キャビティの中にインテリジェントLEDランプが設置され、前記第一スライドキャビティの上側内壁の中に開口が下向きの第一凹溝が連通設置され、前記キャビティの後側内壁の中に第四スライドキャビティが設置され、前記第四スライドキャビティの後側内壁の中に開口が前向きの第二凹溝が設置され、前記第二凹溝の上側内壁の中にモータが固設され、前記モータの下端に前記第二凹溝の中に延伸する第一回転軸が動力で係合接続され、前記第一回転軸の下端に回転できる第一歯車が固定的に接続され、前記第一歯車の前端が前記第四スライドキャビティの中に延伸し、前記第一歯車の前端に回転できる第二歯車が噛合係合接続され、前記第四スライドキャビティの前側内壁の中に開口が後ろ向きの第三凹溝が設置され、前記第三凹溝の中に後端が前記第四スライドキャビティの中に延伸し且つ前記第二歯車と噛合係合接続される第三歯車が設置され、前記第三凹溝の上側内壁の中に第一回転キャビティが設置され、前記第三歯車の軸心に前記第一回転キャビティの中に延伸し且つ回転できる第二回転軸が固定的に接続され、前記第二回転軸の上端に回転できる第四歯車が固定的に接続され、前記第四歯車の前端に回転できる第五歯車が噛合係合接続され、前記第五歯車の軸心に前記第一凹溝の中に延伸する第三回転軸が固定的に接続され、前記第一凹溝の中には前記第三回転軸と固定的に接続され且つ前記第一スライドブロックと当接できるカムが設置され、前記キャビティと前記第二スライドキャビティとの間に第一スルーホールが連通設置され、前記第二スライドブロックには左右に貫通し且つ前記第一スルーホールと位置合わせることができる第二スルーホールが設置され、前記第二スライドキャビティの外側内壁の中には外部まで左右に貫通し且つ前記第一スルーホールと位置合わせる第三スルーホールが設置され、前記切換え装置が前記第三スライドキャビティの下側内壁の中に設置され外部まで上下に貫通する第四スルーホールを含み、前記第四スルーホールの左側内壁の中に開口が右向きの第四凹溝が設置され、前記第四凹溝の中には前記第四スルーホールの中まで左右にスライドできるラックが設置され、前記第四凹溝の上側内壁の中に開口が下向きの第五凹溝が設置され、前記第五凹溝の中には下端が前記ラックと噛合係合接続される第六歯車が設置され、前記第六歯車の軸心には後端が前記第五凹溝の後側内壁と固定的に接続されるモータと動力で係合接続される第四回転軸が固定的に接続され、前記第四スルーホールの後側内壁の中には開口が前向きの第六凹溝が設置され、前記第六凹溝と前記第四スライドキャビティとが連通し、前記ラックの後端には前記第六凹溝の中に延伸し且つ前記ラックと左右にスライドできる第四スライドブロックが固定的に接続され、前記第四スライドキャビティの中には上下にスライドでき且つ下端が前記第四スライドブロックと係合する第五スライドブロックが設置され、前記第四スライドキャビティの前後側内壁の中には開口が向かい合うガイドスライド溝が対称的に設置され、前記第五スライドブロックの前後端には前記ガイドスライド溝の中に延伸する第一ガイドスライドブロックが固定的に接続され、前記第一ガイドスライドブロックの下端に戻しばねが固定的に接続され、前記第二歯車の軸心には下端が前記第五スライドブロックに回転で固定的に接続される第五回転軸が固定的に接続され、前記第四スライドキャビティの中に且つ前記第二歯車の下側には前記第五回転軸と固定的に接続される第七歯車が設置され、前記昇降装置が前記第四スライドキャビティの中に設置され且つ前記第七歯車と噛合できる第八歯車を含み、前記第四スライドキャビティの前側内壁の中に第二回転キャビティが設置され、前記第八歯車の軸心には前記第二回転キャビティの中に延伸する第六回転軸が固定的に接続され、前記第六回転軸の前端に回転できる第九歯車が固定的に接続され、前記第九歯車の下端には回転できる第十歯車が噛合係合接続され、前記第十歯車の軸心には前記キャビティを通り抜けて前記第三スライドキャビティの中まで延伸し且つ回転できるねじボルトが固定的に接続され、前記ねじボルトには上下にスライドできる第六スライドブロックが螺合接続され、前記第六スライドブロックの前端には下端が前記インテリジェントLEDランプに固定的に接続される第七スライドブロックが固定的に接続され、前記キャビティのうち前記インテリジェントLEDランプの前側には下端が前記第三スライドキャビティの中に延伸するガイドスライドレバーが設置され、前記第七スライドブロックの前端には前記ガイドスライドレバーとスライドで係合接続される第二ガイドスライドブロックが固定的に接続され、前記キャビティと前記第三スライドキャビティとの間には前記第四スルーホールに位置合わせ且つ前記インテリジェントLEDランプを通過させることができる第五スルーホールが連通設置されることを特徴とするクラウドコンピューティングにより制御されるインテリジェントLEDランプ及びそのランプシェードである。
【発明の詳細な説明】
【技術分野】
【０００１】
本発明はインテリジェントホーム技術分野を取り上げて、具体的にはクラウドコンピューティングにより制御されるインテリジェントLEDランプ及びそのランプシェードである。
【背景技術】
【０００２】
インテリジェントLEDランプは、家庭や企業の使用コストを大幅に削減することができ、ローカルエリヤネットワークに接続し、スマートフォンやコンピュータと通信することができ、人々は携帯やコンピュータによりランプの明るさと色を遠隔制御し、ランプをプログラムし最大限にエネルギーを節約することもでき、しかし、それが通常のランプと同じで、空気にさらされ、ほこりがたまりやすく、光が暗くなり、外力を受け壊しやすいが、ランプシェード付きのランプは照明能力がある程度低減することがあり、またランプにとってランプシェードがランプを保護するしかできなく、ランプシェードの機能が単一であり、したがって、改善する必要がある。
【先行技術文献】
【特許文献】
【０００３】
【特許文献１】中国特許出願公開第106855180号明細書
【発明の概要】
【発明が解決しようとする課題】
【０００４】
本発明の目的はクラウドコンピューティングにより制御されるインテリジェントLEDランプ及びそのランプシェードを提供し、それは上記の現在の技術中の問題を解決できる。
【課題を解決するための手段】
【０００５】
本発明の実施例によるクラウドコンピューティングにより制御されるインテリジェントLEDランプ及びそのランプシェードは、装置主体、前記装置主体の中に設置される断続開閉装置、前記装置主体の中に設置される切換え装置及び前記装置主体の中に設置される昇降装置を含み、前記断続開閉装置が前記装置主体の中に設置されるキャビティを含み、前記キャビティの上側内壁の中に第一スライドキャビティが設置され、前記キャビティの左右側内壁の中には前記第一スライドキャビティに連通する第二スライドキャビティが対称で設置され、前記キャビティの下側内壁の中には前記第二スライドキャビティの下側と連通する第三スライドキャビティが設置され、前記第一スライドキャビティの中には上下にスライドできる第一スライドブロックが設置され、前記第一スライドブロックの左右端には対称的な且つ前記第二スライドキャビティの中に延伸する上下にスライドできる第二スライドブロックが固定的に接続され、前記第二スライドブロックの下端が前記第三スライドキャビティの中に延伸し、前記第二スライドブロックの下端には上下にスライドできる第三スライドブロックが固定的に接続され、前記第三スライドブロックの下端に振動ばねが固定的に接続され、前記キャビティの中にインテリジェントLEDランプが設置され、前記第一スライドキャビティの上側内壁の中に開口が下向きの第一凹溝が連通設置され、前記キャビティの後側内壁の中に第四スライドキャビティが設置され、前記第四スライドキャビティの後側内壁の中に開口が前向きの第二凹溝が設置され、前記第二凹溝の上側内壁の中にモータが固設され、前記モータの下端に前記第二凹溝の中に延伸する第一回転軸が動力で係合接続され、前記第一回転軸の下端に回転できる第一歯車が固定的に接続され、前記第一歯車の前端が前記第四スライドキャビティの中に延伸し、前記第一歯車の前端に回転できる第二歯車が噛合係合接続され、前記第四スライドキャビティの前側内壁の中に開口が後ろ向きの第三凹溝が設置され、前記第三凹溝の中に後端が前記第四スライドキャビティの中に延伸し且つ前記第二歯車と噛合係合接続される第三歯車が設置され、前記第三凹溝の上側内壁の中に第一回転キャビティが設置され、前記第三歯車の軸心に前記第一回転キャビティの中に延伸し且つ回転できる第二回転軸が固定的に接続され、前記第二回転軸の上端に回転できる第四歯車が固定的に接続され、前記第四歯車の前端に回転できる第五歯車が噛合係合接続され、前記第五歯車の軸心に前記第一凹溝の中に延伸する第三回転軸が固定的に接続され、前記第一凹溝の中には前記第三回転軸と固定的に接続され且つ前記第一スライドブロックと当接できるカムが設置され、前記キャビティと前記第二スライドキャビティとの間に第一スルーホールが連通設置され、前記第二スライドブロックには左右に貫通し且つ前記第一スルーホールと位置合わせることができる第二スルーホールが設置され、前記第二スライドキャビティの外側内壁の中には外部まで左右に貫通し且つ前記第一スルーホールと位置合わせる第三スルーホールが設置される。
【０００６】
更の技術プラン、前記切換え装置が前記第三スライドキャビティの下側内壁の中に設置され外部まで上下に貫通する第四スルーホールを含み、前記第四スルーホールの左側内壁の中に開口が右向きの第四凹溝が設置され、前記第四凹溝の中には前記第四スルーホールの中まで左右にスライドできるラックが設置され、前記第四凹溝の上側内壁の中に開口が下向きの第五凹溝が設置され、前記第五凹溝の中には下端が前記ラックと噛合係合接続される第六歯車が設置され、前記第六歯車の軸心には後端が前記第五凹溝の後側内壁と固定的に接続されるモータと動力で係合接続される第四回転軸が固定的に接続され、前記第四スルーホールの後側内壁の中には開口が前向きの第六凹溝が設置され、前記第六凹溝と前記第四スライドキャビティとが連通し、前記ラックの後端には前記第六凹溝の中に延伸し且つ前記ラックと左右にスライドできる第四スライドブロックが固定的に接続され、前記第四スライドキャビティの中には上下にスライドでき且つ下端が前記第四スライドブロックと係合する第五スライドブロックが設置され、前記第四スライドキャビティの前後側内壁の中には開口が向かい合うガイドスライド溝が対称的に設置され、前記第五スライドブロックの前後端には前記ガイドスライド溝の中に延伸する第一ガイドスライドブロックが固定的に接続され、前記第一ガイドスライドブロックの下端に戻しばねが固定的に接続され、前記第二歯車の軸心には下端が前記第五スライドブロックに回転で固定的に接続される第五回転軸が固定的に接続され、前記第四スライドキャビティの中に且つ前記第二歯車の下側には前記第五回転軸と固定的に接続される第七歯車が設置される。
【０００７】
更の技術プラン、前記昇降装置が前記第四スライドキャビティの中に設置され且つ前記第七歯車と噛合できる第八歯車を含み、前記第四スライドキャビティの前側内壁の中に第二回転キャビティが設置され、前記第八歯車の軸心には前記第二回転キャビティの中に延伸する第六回転軸が固定的に接続され、前記第六回転軸の前端に回転できる第九歯車が固定的に接続され、前記第九歯車の下端には回転できる第十歯車が噛合係合接続され、前記第十歯車の軸心には前記キャビティを通り抜けて前記第三スライドキャビティの中まで延伸し且つ回転できるねじボルトが固定的に接続され、前記ねじボルトには上下にスライドできる第六スライドブロックが螺合接続され、前記第六スライドブロックの前端には下端が前記インテリジェントLEDランプに固定的に接続される第七スライドブロックが固定的に接続され、前記キャビティのうち前記インテリジェントLEDランプの前側には下端が前記第三スライドキャビティの中に延伸するガイドスライドレバーが設置され、前記第七スライドブロックの前端には前記ガイドスライドレバーとスライドで係合接続される第二ガイドスライドブロックが固定的に接続され、前記キャビティと前記第三スライドキャビティとの間には前記第四スルーホールに位置合わせ且つ前記インテリジェントLEDランプを通過させることができる第五スルーホールが連通設置される。
【発明の効果】
【０００８】
本発明の有益な効果は下記の通りである。
【０００９】
断続開閉装置を設置することにより、インテリジェントLEDランプとランプシェードとの間に係合を形成することができ、ランプがより多くの光の組み合わせを持つ；
【００１０】
切換え装置を設置することにより、モータが昇降装置と断続開閉装置をそれぞれ駆動することができ、装置のコストを節約し、エネルギー消耗も節約し、装置の設計がより巧妙になる；
【００１１】
昇降装置を設置することにより、インテリジェントLEDランプが装置の外部まで下降することができ、照明効果を高め、またインテリジェントLEDランプがランプシェードの中に位置するとき、ランプシェードがインテリジェントLEDランプを損傷から保護することもできる；
【００１２】
本発明のランプ及びランプシェードは全体構造がより合理で巧妙であり、使いやすく、光のモードが多く、照明効果がよく、使用安全性が高く、高い使用及び普及価値がある。
【図面の簡単な説明】
【００１３】
【図１】図1は本発明のクラウドコンピューティングにより制御されるインテリジェントLEDランプ及びそのランプシェードの内部全体構成略図である；
【図２】図2は本発明の図1の「A-A」方向の断面図である；
【図３】図3は本発明の図2の「B-B」方向の断面図である。
【発明を実施するための形態】
【００１４】
下記に図1~3をあわせて本発明について詳しく説明し、便利に説明するために、下記の方向を以下のように規定する：以下に述べる上下左右前後の方向と図1の上下左右前後の方向とが一致である。
【００１５】
図1~3が示すように、本発明の実施例によるクラウドコンピューティングにより制御されるインテリジェントLEDランプ及びそのランプシェードは、装置主体10、前記装置主体10の中に設置される断続開閉装置、前記装置主体10の中に設置される切換え装置及び前記装置主体10の中に設置される昇降装置を含み、前記断続開閉装置が前記装置主体10の中に設置されるキャビティ11を含み、前記キャビティ11の上側内壁の中に第一スライドキャビティ12が設置され、前記キャビティ11の左右側内壁の中には前記第一スライドキャビティ12に連通する第二スライドキャビティ13が対称で設置され、前記キャビティ11の下側内壁の中には前記第二スライドキャビティ13の下側と連通する第三スライドキャビティ14が設置され、前記第一スライドキャビティ12の中には上下にスライドできる第一スライドブロック15が設置され、前記第一スライドブロック15の左右端には対称的な且つ前記第二スライドキャビティ13の中に延伸する上下にスライドできる第二スライドブロック16が固定的に接続され、前記第二スライドブロック16の下端が前記第三スライドキャビティ14の中に延伸し、前記第二スライドブロック16の下端には上下にスライドできる第三スライドブロック17が固定的に接続され、前記第三スライドブロック17の下端に振動ばね18が固定的に接続され、前記キャビティ11の中にインテリジェントLEDランプ19が設置され、前記第一スライドキャビティ12の上側内壁の中に開口が下向きの第一凹溝20が連通設置され、前記キャビティ11の後側内壁の中に第四スライドキャビティ21が設置され、前記第四スライドキャビティ21の後側内壁の中に開口が前向きの第二凹溝22が設置され、前記第二凹溝22の上側内壁の中にモータ23が固設され、前記モータ23の下端に前記第二凹溝22の中に延伸する第一回転軸24が動力で係合接続され、前記第一回転軸24の下端に回転できる第一歯車25が固定的に接続され、前記第一歯車25の前端が前記第四スライドキャビティ21の中に延伸し、前記第一歯車25の前端に回転できる第二歯車26が噛合係合接続され、前記第四スライドキャビティ21の前側内壁の中に開口が後ろ向きの第三凹溝27が設置され、前記第三凹溝27の中に後端が前記第四スライドキャビティ21の中に延伸し且つ前記第二歯車26と噛合係合接続される第三歯車28が設置され、前記第三凹溝27の上側内壁の中に第一回転キャビティ29が設置され、前記第三歯車28の軸心に前記第一回転キャビティ29の中に延伸し且つ回転できる第二回転軸30が固定的に接続され、前記第二回転軸30の上端に回転できる第四歯車31が固定的に接続され、前記第四歯車31の前端に回転できる第五歯車32が噛合係合接続され、前記第五歯車32の軸心に前記第一凹溝20の中に延伸する第三回転軸33が固定的に接続され、前記第一凹溝20の中には前記第三回転軸33と固定的に接続され且つ前記第一スライドブロック15と当接できるカム34が設置され、前記キャビティ11と前記第二スライドキャビティ13との間に第一スルーホール35が連通設置され、前記第二スライドブロック16には左右に貫通し且つ前記第一スルーホール35と位置合わせることができる第二スルーホール36が設置され、前記第二スライドキャビティ13の外側内壁の中には外部まで左右に貫通し且つ前記第一スルーホール35と位置合わせる第三スルーホール37が設置される。
【００１６】
有益なまた例を示すように、前記切換え装置が前記第三スライドキャビティ14の下側内壁の中に設置され外部まで上下に貫通する第四スルーホール38を含み、前記第四スルーホール38の左側内壁の中に開口が右向きの第四凹溝39が設置され、前記第四凹溝39の中には前記第四スルーホール38の中まで左右にスライドできるラック40が設置され、前記第四凹溝39の上側内壁の中に開口が下向きの第五凹溝41が設置され、前記第五凹溝41の中には下端が前記ラック40と噛合係合接続される第六歯車42が設置され、前記第六歯車42の軸心には後端が前記第五凹溝41の後側内壁と固定的に接続されるモータと動力で係合接続される第四回転軸43が固定的に接続され、前記第四スルーホール38の後側内壁の中には開口が前向きの第六凹溝44が設置され、前記第六凹溝44と前記第四スライドキャビティ21とが連通し、前記ラック40の後端には前記第六凹溝44の中に延伸し且つ前記ラック40と左右にスライドできる第四スライドブロック45が固定的に接続され、前記第四スライドキャビティ21の中には上下にスライドでき且つ下端が前記第四スライドブロック45と係合する第五スライドブロック46が設置され、前記第四スライドキャビティ21の前後側内壁の中には開口が向かい合うガイドスライド溝47が対称的に設置され、前記第五スライドブロック46の前後端には前記ガイドスライド溝47の中に延伸する第一ガイドスライドブロック48が固定的に接続され、前記第一ガイドスライドブロック48の下端に戻しばね49が固定的に接続され、前記第二歯車26の軸心には下端が前記第五スライドブロック46に回転で固定的に接続される第五回転軸50が固定的に接続され、前記第四スライドキャビティ21のうち前記第二歯車26の下側には前記第五回転軸50と固定的に接続される第七歯車51が設置される。
【００１７】
有益なまた例を示すように、前記昇降装置が前記第四スライドキャビティ21の中に設置され且つ前記第七歯車51と噛合できる第八歯車52を含み、前記第四スライドキャビティ21の前側内壁の中に第二回転キャビティ53が設置され、前記第八歯車52の軸心には前記第二回転キャビティ53の中に延伸する第六回転軸54が固定的に接続され、前記第六回転軸54の前端に回転できる第九歯車55が固定的に接続され、前記第九歯車55の下端には回転できる第十歯車56が噛合係合接続され、前記第十歯車56の軸心には前記キャビティ11を通り抜けて前記第三スライドキャビティ14の中まで延伸し且つ回転できるねじボルト57が固定的に接続され、前記ねじボルト57には上下にスライドできる第六スライドブロック58が螺合接続され、前記第六スライドブロック58の前端には下端が前記インテリジェントLEDランプ19と固定的に接続される第七スライドブロック59が固定的に接続され、前記キャビティ11のうち前記インテリジェントLEDランプ19の前側には下端が前記第三スライドキャビティ14の中に延伸するガイドスライドレバー60が設置され、前記第七スライドブロック59の前端には前記ガイドスライドレバー60とスライドで係合接続される第二ガイドスライドブロック61が固定的に接続され、前記キャビティ11と前記第三スライドキャビティ14との間には前記第四スルーホール38に位置合わせ且つ前記インテリジェントLEDランプ19を通過させることができる第五スルーホール62が連通設置される。
【００１８】
本装置を使用するとき、クラウドコンピューティングにより制御されることができるインテリジェントLEDランプ19をオンにし、インテリジェントLEDランプ19がクラウドコンピューティングにより異なる照明モードを変換することができ、インテリジェントLEDランプ19をオンにした後、光が第一スルーホール35及び第三スルーホール37により外部に屈折し、モータ23を起動し、モータ23が第一回転軸24を駆動し回転させ、第一回転軸24が第一歯車25を駆動し回転させ、第一歯車25が第二歯車26を駆動し回転させ、第二歯車26が第三歯車28を駆動し回転させ、第三歯車28が第二回転軸30を駆動し回転させ、第二回転軸30が第四歯車31を駆動し回転させ、第四歯車31が第五歯車32を駆動し回転させ、第五歯車32が第三回転軸33を駆動し回転させ、第三回転軸33がカム34を駆動し回転させ、カム34の突起端が第一スライドブロック15に接触すると、第一スライドブロック15を押して下へスライドさせ、第一スライドブロック15が第二スライドブロック16を押して下へスライドさせ、第二スライドブロック16が第三スライドブロック17を押して下へスライドさせ、第三スライドブロック17が下にスライドし振動ばね18を下に押出し、このとき第二スライドブロック16にある第二スルーホール36が第一スルーホール35及び第三スルーホール37と徐々に位置ずれをし、インテリジェントLEDランプ19の外部へ射すの光が少なくなり、第一スライドブロック15が最下側までスライドするとき、第二スルーホール36が第一スルーホール35及び第三スルーホール37と完全に位置ずれをし、カム34の突起部と第一スライドブロック15とが徐々に離れるとき、振動ばね18の弾力により第三スライドブロック17、第二スライドブロック16及び第一スライドブロック15が上にスライドし、第二スルーホール36が第一スルーホール35及び第三スルーホール37とは、まず位置合わせる状態に回復し、それから上に位置ずれをし、カム34と振動ばね18との係合により第二スルーホール36を断続的に開閉させ、通常の照明が需要な場合、第四回転軸43の後端のモータを起動し、第四回転軸43が回転し第六歯車42を駆動し回転させ、第六歯車42が回転しラック40を駆動し左にスライドさせ、ラック40が第四スライドブロック45を駆動し左にスライドさせ、第四スライドブロック45が左にスライドし第五スライドブロック46を駆動し上にスライドさせ、第五スライドブロック46が上にスライドし第二歯車26を第一歯車25及び第三歯車28との噛合から離れさせ、第七歯車51と第八歯車52とが噛合し、モータ23を起動し、モータ23が第一回転軸24を駆動し回転させ、第一回転軸24が第一歯車25を駆動し回転させ、第一歯車25が第二歯車26を駆動し回転させ、第二歯車26が第五回転軸50を駆動し回転させ、第五回転軸50が第七歯車51を駆動し回転させ、第七歯車51が第八歯車52を駆動し回転させ、第八歯車52が第六回転軸54を駆動し回転させ、第六回転軸54が第九歯車55を駆動し回転させ、第九歯車55が第十歯車56を駆動し回転させ、第十歯車56がねじボルト57を駆動し回転させ、ねじボルト57が第六スライドブロック58を駆動し下にスライドさせ、第六スライドブロック58が第七スライドブロック59を駆動し下にスライドさせ、第七スライドブロック59がインテリジェントLEDランプ19を駆動し外部まで下にスライドさせ、インテリジェントLEDランプ19をオン���すると通常の照明効果が実現できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020072073.tif 000003
【図２】
2020072073.tif 000004
【図３】
2020072073.tif 000005
【手続補正書】
【提出日】令和1年5月20日(2019.5.20)
【手続補正１】
【補正対象書類名】特許請求の範囲
【補正対象項目名】請求項１
【補正方法】変更
【補正の内容】
【請求項１】
装置主体、前記装置主体の中に設置される断続開閉装置、前記装置主体の中に設置される  切換え装置及び前記装置主体の中に設置される昇降装置を含み、前記断続開閉装置が前記  装置主体の中に設置されるキャビティを含み、前記キャビティの上側内壁の中に第一スラ  イドキャビティが設置され、前記キャビティの左右側内壁の中には前記第一スライドキャ  ビティに連通する第二スライドキャビティが対称で設置され、前記キャビティの下側内壁  の中には前記第二スライドキャビティの下側と連通する第三スライドキャビティが設置さ  れ、前記第一スライドキャビティの中には上下にスライドできる第一スライドブロックが  設置され、前記第一スライドブロックの左右端には対称的な且つ前記第二スライドキャビ  ティの中に延伸する上下にスライドできる第二スライドブロックが固定的に接続され、前  記第二スライドブロックの下端が前記第三スライドキャビティの中に延伸し、前記第二ス  ライドブロックの下端には上下にスライドできる第三スライドブロックが固定的に接続さ  れ、前記第三スライドブロックの下端に振動ばねが固定的に接続され、前記キャビティの  中にインテリジェントＬＥＤランプが設置され、前記第一スライドキャビティの上側内壁の  中に開口が下向きの第一凹溝が連通設置され、前記キャビティの後側内壁の中に第四スラ  イドキャビティが設置され、前記第四スライドキャビティの後側内壁の中に開口が前向き  の第二凹溝が設置され、前記第二凹溝の上側内壁の中にモータが固設され、前記モータの  下端に前記第二凹溝の中に延伸する第一回転軸が接続され、前記第一回転軸の  下端に回転できる第一歯車が固定的に接続され、前記第一歯車の前端が前記第四スライド  キャビティの中に延伸し、前記第一歯車の前端に回転できる第二歯車が噛合係合接続され  、前記第四スライドキャビティの前側内壁の中に開口が後ろ向きの第三凹溝が設置され、  前記第三凹溝の中に後端が前記第四スライドキャビティの中に延伸し且つ前記第二歯車と  噛合係合接続される第三歯車が設置され、前記第三凹溝の上側内壁の中に第一回転キャビ  ティが設置され、前記第三歯車の軸心に前記第一回転キャビティの中に延伸し且つ回転で  きる第二回転軸が固定的に接続され、前記第二回転軸の上端に回転できる第四歯車が固定  的に接続され、前記第四歯車の前端に回転できる第五歯車が噛合係合接続され、前記第五  歯車の軸心に前記第一凹溝の中に延伸する第三回転軸が固定的に接続され、前記第一凹溝  の中には前記第三回転軸と固定的に接続され且つ前記第一スライドブロックと当接できる  カムが設置され、前記キャビティと前記第二スライドキャビティとの間に第一スルーホー  ルが連通設置され、前記第二スライドブロックには左右に貫通し且つ前記第一スルーホー  ルと位置合わせることができる第二スルーホールが設置され、前記第二スライドキャビテ  ィの外側内壁の中には外部まで左右に貫通し且つ前記第一スルーホールと位置合わせる第  三スルーホールが設置され、前記切換え装置が前記第三スライドキャビティの下側内壁の  中に設置され外部まで上下に貫通する第四スルーホールを含み、前記第四スルーホールの  左側内壁の中に開口が右向きの第四凹溝が設置され、前記第四凹溝の中には前記第四スル  ーホールの中まで左右にスライドできるラックが設置され、前記第四凹溝の上側内壁の中  に開口が下向きの第五凹溝が設置され、前記第五凹溝の中には下端が前記ラックと噛合係  合接続される第六歯車が設置され、前記第六歯車の軸心には後端が前記第五凹溝の後側内  壁と固定的に接続されるモータと接続される第四回転軸が固定的に接続され、  前記第四スルーホールの後側内壁の中には開口が前向きの第六凹溝が設置され、前記第六  凹溝と前記第四スライドキャビティとが連通し、前記ラックの後端には前記第六凹溝の中  に延伸し且つ前記ラックと左右にスライドできる第四スライドブロックが固定的に接続さ  れ、前記第四スライドキャビティの中には上下にスライドでき且つ下端が前記第四スライ  ドブロックと係合する第五回転軸が設置され、前記第四スライドキャビティの  前後側内壁の中には開口が向かい合うガイドスライド溝が対称的に設置され、前記第五ス  ライドブロックの前後端には前記ガイドスライド溝の中に延伸する第一ガイドスライドブ  ロックが固定的に接続され、前記第一ガイドスライドブロックの下端に戻しばねが固定的  に接続され、前記第二歯車の軸心には下端が前記第五スライドブロックに回転可能に接続される第五回転軸が固定的に接続され、前記第四スライドキャビティの中に且つ前記第二歯車の下側には前記第五回転軸と固定的に接続される第七歯車が設置され、前記昇降  装置が前記第四スライドキャビティの中に設置され且つ前記第七歯車と噛合できる第八歯  車を含み、前記第四スライドキャビティの前側内壁の中に第二回転キャビティが設置され  、前記第八歯車の軸心には前記第二回転キャビティの中に延伸する第六回転軸が固定的に  接続され、前記第六回転軸の前端に回転できる第九歯車が固定的に接続され、前記第九歯  車の下端には回転できる第十歯車が噛合係合接続され、前記第十歯車の軸心には前記キャ  ビティを通り抜けて前記第三スライドキャビティの中まで延伸し且つ回転できるねじボル  トが固定的に接続され、前記ねじボルトには上下にスライドできる第六スライドブロック  が螺合接続され、前記第六スライドブロックの前端には下端が前記インテリジェントＬＥＤ  ランプに固定的に接続される第七スライドブロックが固定的に接続され、前記キャビティ  のうち前記インテリジェントＬＥＤランプの前側には下端が前記第三スライドキャビティの  中に延伸するガイドスライドレバーが設置され、前記第七スライドブロックの前端には前  記ガイドスライドレバーとスライドで係合接続される第二ガイドスライドブロックが固定  的に接続され、前記キャビティと前記第三スライドキャビティとの間には前記第四スルー  ホールに位置合わせ且つ前記インテリジェントＬＥＤランプを通過させることができる第五  スルーホールが連通設置されることを特徴とするクラウドコンピューティングにより制御  されるインテリジェントＬＥＤランプ及びそのランプシェード。
【手続補正２】
【補正対象書類名】明細書
【補正対象項目名】全文
【補正方法】変更
【補正の内容】
【発明の詳細な説明】
【技術分野】
【０００１】
本発明はインテリジェントホーム技術分野を取り上げて、具体的にはクラウドコンピューティングにより制御されるインテリジェントＬＥＤランプ及びそのランプシェードである。
【背景技術】
【０００２】
インテリジェントＬＥＤランプは、家庭や企業の使用コストを大幅に削減することができ、  ローカルエリヤネットワークに接続し、スマートフォンやコンピュータと通信することが  でき、人々は携帯やコンピュータによりランプの明るさと色を遠隔制御し、ランプをプロ  グラムし最大限にエネルギーを節約することもでき、しかし、それが通常のランプと同じ  で、空気にさらされ、ほこりがたまりやすく、光が暗くなり、外力を受け壊しやすいが、  ランプシェード付きのランプは照明能力がある程度低減することがあり、またランプにと  ってランプシェードがランプを保護するしかできなく、ランプシェードの機能が単一であ  り、したがって、改善する必要がある。
【先行技術文献】
【特許文献】
【０００３】
【特許文献１】中国特許出願公開第１０６８５５１８０号明細書
【発明の概要】
【発明が解決しようとする課題】
【０００４】
本発明の目的はクラウドコンピューティングにより制御されるインテリジェントＬＥＤラン  プ及びそのランプシェードを提供し、それは上記の現在の技術中の問題を解決できる。
【課題を解決するための手段】
【０００５】
本発明の実施例によるクラウドコンピューティングにより制御されるインテリジェントＬＥ  Ｄランプ及びそのランプシェードは、装置主体、前記装置主体の中に設置される断続開閉  装置、前記装置主体の中に設置される切換え装置及び前記装置主体の中に設置される昇降  装置を含み、前記断続開閉装置が前記装置主体の中に設置されるキャビティを含み、前記  キャビティの上側内壁の中に第一スライドキャビティが設置され、前記キャビティの左右  側内壁の中には前記第一スライドキャビティに連通する第二スライドキャビティが対称で  設置され、前記キャビティの下側内壁の中には前記第二スライドキャビティの下側と連通  する第三スライドキャビティが設置され、前記第一スライドキャビティの中には上下にス  ライドできる第一スライドブロックが設置され、前記第一スライドブロックの左右端には  対称的な且つ前記第二スライドキャビティの中に延伸する上下にスライドできる第二スラ  イドブロックが固定的に接続され、前記第二スライドブロックの下端が前記第三スライド  キャビティの中に延伸し、前記第二スライドブロックの下端には上下にスライドできる第  三スライドブロックが固定的に接続され、前記第三スライドブロックの下端に振動ばねが  固定的に接続され、前記キャビティの中にインテリジェントＬＥＤランプが設置され、前記  第一スライドキャビティの上側内壁の中に開口が下向きの第一凹溝が連通設置され、前記  キャビティの後側内壁の中に第四スライドキャビティが設置され、前記第四スライドキャ  ビティの後側内壁の中に開口が前向きの第二凹溝が設置され、前記第二凹溝の上側内壁の  中にモータが固設され、前記モータの下端に前記第二凹溝の中に延伸する第一回転軸が接続され、前記第一回転軸の下端に回転できる第一歯車が固定的に接続され、前  記第一歯車の前端が前記第四スライドキャビティの中に延伸し、前記第一歯車の前端に回  転できる第二歯車が噛合係合接続され、前記第四スライドキャビティの前側内壁の中に開  口が後ろ向きの第三凹溝が設置され、前記第三凹溝の中に後端が前記第四スライドキャビティの中に延伸し且つ前記第二歯車と噛合係合接続される第三歯車が設置され、前記第三  凹溝の上側内壁の中に第一回転キャビティが設置され、前記第三歯車の軸心に前記第一回  転キャビティの中に延伸し且つ回転できる第二回転軸が固定的に接続され、前記第二回転  軸の上端に回転できる第四歯車が固定的に接続され、前記第四歯車の前端に回転できる第  五歯車が噛合係合接続され、前記第五歯車の軸心に前記第一凹溝の中に延伸する第三回転  軸が固定的に接続され、前記第一凹溝の中には前記第三回転軸と固定的に接続され且つ前  記第一スライドブロックと当接できるカムが設置され、前記キャビティと前記第二スライ  ドキャビティとの間に第一スルーホールが連通設置され、前記第二スライドブロックには  左右に貫通し且つ前記第一スルーホールと位置合わせることができる第二スルーホールが  設置され、前記第二スライドキャビティの外側内壁の中には外部まで左右に貫通し且つ前  記第一スルーホールと位置合わせる第三スルーホールが設置される。  
【０００６】
更の技術プラン、前記切換え装置が前記第三スライドキャビティの下側内壁の中に設置さ  れ外部まで上下に貫通する第四スルーホールを含み、前記第四スルーホールの左側内壁の  中に開口が右向きの第四凹溝が設置され、前記第四凹溝の中には前記第四スルーホールの  中まで左右にスライドできるラックが設置され、前記第四凹溝の上側内壁の中に開口が下  向きの第五凹溝が設置され、前記第五凹溝の中には下端が前記ラックと噛合係合接続される第六歯車が設置され、前記第六歯車の軸心には後端が前記第五凹溝の後側内壁と固定的に接続されるモータと接続される第四回転軸が固定的に接続され、前記第四ス  ルーホールの後側内壁の中には開口が前向きの第六凹溝が設置され、前記第六凹溝と前記  第四スライドキャビティとが連通し、前記ラックの後端には前記第六凹溝の中に延伸し且  つ前記ラックと左右にスライドできる第四スライドブロックが固定的に接続され、前記第  四スライドキャビティの中には上下にスライドでき且つ下端が前記第四スライドブロック  と係合する第五スライドブロックが設置され、前記第四スライドキャビティの前後側内壁  の中には開口が向かい合うガイドスライド溝が対称的に設置され、前記第五スライドブロ  ックの前後端には前記ガイドスライド溝の中に延伸する第一ガイドスライドブロックが固  定的に接続され、前記第一ガイドスライドブロックの下端に戻しばねが固定的に接続され  、前記第二歯車の軸心には下端が前記第五スライドブロックに回転できるように接続される第五回転軸が固定的に接続され、前記第四スライドキャビティの中に且つ前記第二歯車の  下側には前記第五回転軸と固定的に接続される第七歯車が設置される。
【０００７】
更の技術プラン、前記昇降装置が前記第四スライドキャビティの中に設置され且つ前記第  七歯車と噛合できる第八歯車を含み、前記第四スライドキャビティの前側内壁の中に第二  回転キャビティが設置され、前記第八歯車の軸心には前記第二回転キャビティの中に延伸  する第六回転軸が固定的に接続され、前記第六回転軸の前端に回転できる第九歯車が固定  的に接続され、前記第九歯車の下端には回転できる第十歯車が噛合係合接続され、前記第  十歯車の軸心には前記キャビティを通り抜けて前記第三スライドキャビティの中まで延伸  し且つ回転できるねじボルトが固定的に接続され、前記ねじボルトには上下にスライドで  きる第六スライドブロックが螺合接続され、前記第六スライドブロックの前端には下端が  前記インテリジェントＬＥＤランプに固定的に接続される第七スライドブロックが固定的に  接続され、前記キャビティのうち前記インテリジェントＬＥＤランプの前側には下端が前記  第三スライドキャビティの中に延伸するガイドスライドレバーが設置され、前記第七スラ  イドブロックの前端には前記ガイドスライドレバーとスライドで係合接続される第二ガイ  ドスライドブロックが固定的に接続され、前記キャビティと前記第三スライドキャビティ  との間には前記第四スルーホールに位置合わせ且つ前記インテリジェントＬＥＤランプを通  過させることができる第五スルーホールが連通設置される。
【発明の効果】
【０００８】
本発明の有益な効果は下記の通りである。
【０００９】
断続開閉装置を設置することにより、インテリジェントＬＥＤランプとランプシェードとの  間に係合を形成することができ、ランプがより多くの光の組み合わせを持つ；
【００１０】
切換え装置を設置することにより、モータが昇降装置と断続開閉装置をそれぞれ駆動する  ことができ、装置のコストを節約し、エネルギー消耗も節約し、装置の設計がより巧妙に  なる；
【００１１】
昇降装置を設置することにより、インテリジェントＬＥＤランプが装置の外部まで下降する  ことができ、照明効果を高め、またインテリジェントＬＥＤランプがランプシェードの中に  位置するとき、ランプシェードがインテリジェントＬＥＤランプを損傷から保護することも  できる；  
【００１２】
本発明のランプ及びランプシェードは全体構造がより合理で巧妙であり、使いやすく、光  のモードが多く、照明効果がよく、使用安全性が高く、高い使用及び普及価値がある。
【図面の簡単な説明】
【００１３】
【図１】図１は本発明のクラウドコンピューティングにより制御されるインテリジェ  ントＬＥＤランプ及びそのランプシェードの内部全体構成略図である；
【図２】図２は図１の中の「Ａ」の拡大模式図である；
【図２】図２は本発明の図１の「Ａ−Ａ」方向の断面図である；
【図３】図３は本発明の図２の「Ｂ−Ｂ」方向の断面図である。
【発明を実施するための形態】
【００１４】
下記に図１〜３をあわせて本発明について詳しく説明し、便利に説明するために、下記の方  向を以下のように規定する：以下に述べる上下左右前後の方向と図１の上下左右前後の方  向とが一致である。
【００１５】
図１〜３が示すように、本発明の実施例によるクラウドコンピューティングにより制御され  るインテリジェントＬＥＤランプ及びそのランプシェードは、装置主体１０、前記装置主体１０  の中に設置される断続開閉装置、前記装置主体１０の中に設置される切換え装置及び前記装  置主体１０の中に設置される昇降装置を含み、前記断続開閉装置が前記装置主体１０の中に設  置されるキャビティ１１を含み、前記キャビティ１１の上側内壁の中に第一スライドキャビテ  ィ１２が設置され、前記キャビティ１１の左右側内壁の中には前記第一スライドキャビティ１２  に連通する第二スライドキャビティ１３が対称で設置され、前記キャビティ１１の下側内壁の  中には前記第二スライドキャビティ１３の下側と連通する第三スライドキャビティ１４が設置  され、前記第一スライドキャビティ１２の中には上下にスライドできる第一スライドブロッ  ク１５が設置され、前記第一スライドブロック１５の左右端には対称的な且つ前記第二スライ  ドキャビティ１３の中に延伸する上下にスライドできる第二スライドブロック１６が固定的に  接続され、前記第二スライドブロック１６の下端が前記第三スライドキャビティ１４の中に延  伸し、前記第二スライドブロック１６の下端には上下にスライドできる第三スライドブロッ  ク１７が固定的に接続され、前記第三スライドブロック１７の下端に振動ばね１８が固定的に接  続され、前記キャビティ１１の中にインテリジェントＬＥＤランプ１９が設置され、前記第一ス  ライドキャビティ１２の上側内壁の中に開口が下向きの第一凹溝２０が連通設置され、前記キ  ャビティ１１の後側内壁の中に第四スライドキャビティ２１が設置され、前記第四スライドキ  ャビティ２１の後側内壁の中に開口が前向きの第二凹溝２２が設置され、前記第二凹溝２２の上  側内壁の中にモータ２３が固設され、前記モータ２３の下端に前記第二凹溝２２の中に延伸する  第一回転軸２４が接続され、前記第一回転軸２４の下端に回転できる第一歯車２５が  固定的に接続され、前記第一歯車２５の前端が前記第四スライドキャビティ２１の中に延伸し  、前記第一歯車２５の前端に回転できる第二歯車２６が噛合係合接続され、前記第四スライド  キャビティ２１の前側内壁の中に開口が後ろ向きの第三凹溝２７が設置され、前記第三凹溝２７  の中に後端が前記第四スライドキャビティ２１の中に延伸し且つ前記第二歯車２６と噛合係合接続される第三歯車２８が設置され、前記第三凹溝２７の上側内壁の中に第一回転キャビティ  ２９が設置され、前記第三歯車２８の軸心に前記第一回転キャビティ２９の中に延伸し且つ回転  できる第二回転軸３０が固定的に接続され、前記第二回転軸３０の上端に回転できる第四歯車  ３１が固定的に接続され、前記第四歯車３１の前端に回転できる第五歯車３２が噛合係合接続さ  れ、前記第五歯車３２の軸心に前記第一凹溝２０の中に延伸する第三回転軸３３が固定的に接続  され、前記第一凹溝２０の中には前記第三回転軸３３と固定的に接続され且つ前記第一スライ  ドブロック１５と当接できるカム３４が設置され、前記キャビティ１１と前記第二スライドキャ  ビティ１３との間に第一スルーホール３５が連通設置され、前記第二スライドブロック１６には  左右に貫通し且つ前記第一スルーホール３５と位置合わせることができる第二スルーホール  ３６が設置され、前記第二スライドキャビティ１３の外側内壁の中には外部まで左右に貫通し  且つ前記第一スルーホール３５と位置合わせる第三スルーホール３７が設置される。
【００１６】
有益なまた例を示すように、前記切換え装置が前記第三スライドキャビティ１４の下側内壁  の中に設置され外部まで上下に貫通する第四スルーホール３８を含み、前記第四スルーホー  ル３８の左側内壁の中に開口が右向きの第四凹溝３９が設置され、前記第四凹溝３９の中には前  記第四スルーホール３８の中まで左右にスライドできるラック４０が設置され、前記第四凹溝  ３９の上側内壁の中に開口が下向きの第五凹溝４１が設置され、前記第五凹溝４１の中には下端  が前記ラック４０と噛合係合接続される第六歯車４２が設置され、前記第六歯車４２の軸心には  後端が前記第五凹溝４１の後側内壁と固定的に接続されるモータと接続される第四回転軸４３が固定的に接続され、前記第四スルーホール３８の後側内壁の中には開口が前向  きの第六凹溝４４が設置され、前記第六凹溝４４と前記第四スライドキャビティ２１とが連通し  、前記ラック４０の後端には前記第六凹溝４４の中に延伸し且つ前記ラック４０と左右にスライ  ドできる第四スライドブロック４５が固定的に接続され、前記第四スライドキャビティ２１の  中には上下にスライドでき且つ下端が前記第四スライドブロック４５と係合する第五スライ  ドブロック４６が設置され、前記第四スライドキャビティ２１の前後側内壁の中には開口が向  かい合うガイドスライド溝４７が対称的に設置され、前記第五スライドブロック４６の前後端  には前記ガイドスライド溝４７の中に延伸する第一ガイドスライドブロック４８が固定的に接  続され、前記第一ガイドスライドブロック４８の下端に戻しばね４９が固定的に接続され、前  記第二歯車２６の軸心には下端が前記第五スライドブロック４６に回転できるように接続される第五回転軸５０が固定的に接続され、前記第四スライドキャビティ２１のうち前記第二歯車２６  の下側には前記第五回転軸５０と固定的に接続される第七歯車５１が設置される。
【００１７】
有益なまた例を示すように、前記昇降装置が前記第四スライドキャビティ２１の中に設置さ  れ且つ前記第七歯車５１と噛合できる第八歯車５２を含み、前記第四スライドキャビティ２１の  前側内壁の中に第二回転キャビティ５３が設置され、前記第八歯車５２の軸心には前記第二回  転キャビティ５３の中に延伸する第六回転軸５４が固定的に接続され、前記第六回転軸５４の前  端に回転できる第九歯車５５が固定的に接続され、前記第九歯車５５の下端には回転できる第  十歯車５６が噛合係合接続され、前記第十歯車５６の軸心には前記キャビティ１１を通り抜けて  前記第三スライドキャビティ１４の中まで延伸し且つ回転できるねじボルト５７が固定的に接  続され、前記ねじボルト５７には上下にスライドできる第六スライドブロック５８が螺合接続  され、前記第六スライドブロック５８の前端には下端が前記インテリジェントＬＥＤランプ１９  と固定的に接続される第七スライドブロック５９が固定的に接続され、前記キャビティ１１の  うち前記インテリジェントＬＥＤランプ１９の前側には下端が前記第三スライドキャビティ１４  の中に延伸するガイドスライドレバー６０が設置され、前記第七スライドブロック５９の前端  には前記ガイドスライドレバー６０とスライドで係合接続される第二ガイドスライドブロッ  ク６１が固定的に接続され、前記キャビティ１１と前記第三スライドキャビティ１４との間には  前記第四スルーホール３８に位置合わせ且つ前記インテリジェントＬＥＤランプ１９を通過させ  ることができる第五スルーホール６２が連通設置される。
【００１８】
本装置を使用するとき、クラウドコンピューティングにより制御されることができるインテリジェントＬＥＤランプ１９をオンにし、インテリジェントＬＥＤランプ１９がクラウドコンピューティングにより異なる照明モードを変換することができ、インテリジェントＬＥＤランプ１９をオンにした後、光が第一スルーホール３５及び第三スルーホール３７により外部に屈折し、モータ２３を起動し、モータ２３が第一回転軸２４を駆動し回転させ、第一回転軸２４が第一歯車２５を駆動し回転させ、第一歯車２５が第二歯車２６を駆動し回転させ、第二歯車２６が第三歯車２８を駆動し回転させ、第三歯車２８が第二回転軸３０を駆動し回転させ、第二回転軸３０が第四歯車３１を駆動し回転させ、第四歯車３１が第五歯車３２を駆動し回転させ、第五歯車３２が第三回転軸３３を駆動し回転させ、第三回転軸３３がカム３４を駆動し回転させ、カム３４の突起端が第一スライドブロック１５に接触すると、第一スライドブロック１５を押して下へスライドさせ、第一スライドブロック１５が第二スライドブロック１６を押して下へスライドさせ、第二スライドブロック１６が第三スライドブロック１７を押して下へスライドさせ、第三スライドブロック１７が下にスライドし振動ばね１８を下に押出し、このとき第二スライドブロック１６にある第二スルーホール３６が第一スルーホール３５及び第三スルーホール３７と徐々に位置ずれをし、インテリジェントＬＥＤランプ１９の外部へ射すの光が少なくなり、第一スライドブロック１５が最下側までスライドするとき、第二スルーホール３６が第一スルーホール３５及び第三スルーホール３７と完全に位置ずれをし、カム３４の突起部と第一スライドブロック１５とが徐々に離れるとき、振動ばね１８の弾力により第三スライドブロック１７、第二スライドブロック１６及び第一スライドブロック１５が上にスライドし、第二スルーホール３６が第一スルーホール３５及び第三スルーホール３７とは、まず位置合わせる状態に回復し、それから上に位置ずれをし、カム３４と振動ばね１８との係合により第二スルーホール３６を断続的に開閉させ、通常の照明が需要な場合、第四回転軸４３の後端のモータを起動し、第四回転軸４３が回転し第六歯車４２を駆動し回転させ、第六歯車４２が回転しラック４０を駆動し左にスライドさせ、ラック４０が第四スライドブロック４５を駆動し左にスライドさせ、第四スライドブロック４５が左にスライドし第五スライドブロック４６を駆動し上にスライドさせ、第五スライドブロック４６が上にスライドし第二歯車２６を第一歯車２５及び第三歯車２８との噛合から離れさせ、第七歯車５１と第八歯車５２とが噛合し、モータ２３を起動し、モータ２３が第一回転軸２４を駆動し回転させ、第一回転軸２４が第一歯車２５を駆動し回転させ、第一歯車２５が第二歯車２６を駆動し回転させ、第二歯車２６が第五回転軸５０を駆動し回転させ、第五回転軸５０が第七歯車５１を駆動し回転させ、第五スライドブロック４６が上にスライドし、第二歯車２６と第一歯車２５及び第三歯車２６とを噛合状態から離脱させると、第七歯車５１が第八歯車５２を駆動し回転させ、第八歯車５２が第六回転軸５４を駆動し回転させ、第六回転軸５４が第九歯車５５を駆動し回転させ、第九歯車５５が第十歯車５６を駆動し回転させ、第十歯車５６がねじボルト５７を駆動し回転させ、ねじボルト５７が第六スライドブロック５８を駆動し下にスライドさせ、第六スライドブロック５８が第七スライドブロック５９を駆動し下にスライドさせ、第七スライドブロック５９がインテリジェントＬＥＤランプ１９を駆動し外部まで下にスライドさせ、インテリジェントＬＥＤランプ１９をオンにすると通常の照明効果が実現できる。
【００１９】
本分野の技術者が明確できるのは、本発明の総体精神や発想から離脱しない場合で、以上  の実施例に各種な変形ができ、それらの変形がすべて本発明の保護範囲にある。本発明の  保護方案は本発明の権利要求書を標準とすべきである
【手続補正書】
【提出日】令和1年6月11日(2019.6.11)
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
本発明はインテリジェントホーム技術分野を取り上げて、具体的にはクラウドコンピューティングにより制御されるインテリジェントＬＥＤランプ及びそのランプシェードである。
【背景技術】
【０００２】
インテリジェントＬＥＤランプは、家庭や企業の使用コストを大幅に削減することができ、  ローカルエリヤネットワークに接続し、スマートフォンやコンピュータと通信することが  でき、人々は携帯やコンピュータによりランプの明るさと色を遠隔制御し、ランプをプロ  グラムし最大限にエネルギーを節約することもでき、しかし、それが通常のランプと同じ  で、空気にさらされ、ほこりがたまりやすく、光が暗くなり、外力を受け壊しやすいが、  ランプシェード付きのランプは照明能力がある程度低減することがあり、またランプにと  ってランプシェードがランプを保護するしかできなく、ランプシェードの機能が単一であ  り、したがって、改善する必要がある。
【先行技術文献】
【特許文献】
【０００３】
【特許文献１】中国特許出願公開第１０６８５５１８０号明細書
【発明の概要】
【発明が解決しようとする課題】
【０００４】
本発明の目的はクラウドコンピューティングにより制御されるインテリジェントＬＥＤラン  プ及びそのランプシェードを提供し、それは上記の現在の技術中の問題を解決できる。
【課題を解決するための手段】
【０００５】
本発明の実施例によるクラウドコンピューティングにより制御されるインテリジェントＬＥ  Ｄランプ及びそのランプシェードは、装置主体、前記装置主体の中に設置される断続開閉  装置、前記装置主体の中に設置される切換え装置及び前記装置主体の中に設置される昇降  装置を含み、前記断続開閉装置が前記装置主体の中に設置されるキャビティを含み、前記  キャビティの上側内壁の中に第一スライドキャビティが設置され、前記キャビティの左右  側内壁の中には前記第一スライドキャビティに連通する第二スライドキャビティが対称で  設置され、前記キャビティの下側内壁の中には前記第二スライドキャビティの下側と連通  する第三スライドキャビティが設置され、前記第一スライドキャビティの中には上下にス  ライドできる第一スライドブロックが設置され、前記第一スライドブロックの左右端には  対称的な且つ前記第二スライドキャビティの中に延伸する上下にスライドできる第二スラ  イドブロックが固定的に接続され、前記第二スライドブロックの下端が前記第三スライド  キャビティの中に延伸し、前記第二スライドブロックの下端には上下にスライドできる第  三スライドブロックが固定的に接続され、前記第三スライドブロックの下端に振動ばねが  固定的に接続され、前記キャビティの中にインテリジェントＬＥＤランプが設置され、前記  第一スライドキャビティの上側内壁の中に開口が下向きの第一凹溝が連通設置され、前記  キャビティの後側内壁の中に第四スライドキャビティが設置され、前記第四スライドキャ  ビティの後側内壁の中に開口が前向きの第二凹溝が設置され、前記第二凹溝の上側内壁の  中にモータが固設され、前記モータの下端に前記第二凹溝の中に延伸する第一回転軸が接続され、前記第一回転軸の下端に回転できる第一歯車が固定的に接続され、前  記第一歯車の前端が前記第四スライドキャビティの中に延伸し、前記第一歯車の前端に回  転できる第二歯車が噛合係合接続され、前記第四スライドキャビティの前側内壁の中に開  口が後ろ向きの第三凹溝が設置され、前記第三凹溝の中に後端が前記第四スライドキャビティの中に延伸し且つ前記第二歯車と噛合係合接続される第三歯車が設置され、前記第三  凹溝の上側内壁の中に第一回転キャビティが設置され、前記第三歯車の軸心に前記第一回  転キャビティの中に延伸し且つ回転できる第二回転軸が固定的に接続され、前記第二回転  軸の上端に回転できる第四歯車が固定的に接続され、前記第四歯車の前端に回転できる第  五歯車が噛合係合接続され、前記第五歯車の軸心に前記第一凹溝の中に延伸する第三回転  軸が固定的に接続され、前記第一凹溝の中には前記第三回転軸と固定的に接続され且つ前  記第一スライドブロックと当接できるカムが設置され、前記キャビティと前記第二スライ  ドキャビティとの間に第一スルーホールが連通設置され、前記第二スライドブロックには  左右に貫通し且つ前記第一スルーホールと位置合わせることができる第二スルーホールが  設置され、前記第二スライドキャビティの外側内壁の中には外部まで左右に貫通し且つ前  記第一スルーホールと位置合わせる第三スルーホールが設置される。  
【０００６】
更の技術プラン、前記切換え装置が前記第三スライドキャビティの下側内壁の中に設置さ  れ外部まで上下に貫通する第四スルーホールを含み、前記第四スルーホールの左側内壁の  中に開口が右向きの第四凹溝が設置され、前記第四凹溝の中には前記第四スルーホールの  中まで左右にスライドできるラックが設置され、前記第四凹溝の上側内壁の中に開口が下  向きの第五凹溝が設置され、前記第五凹溝の中には下端が前記ラックと噛合係合接続される第六歯車が設置され、前記第六歯車の軸心には後端が前記第五凹溝の後側内壁と固定的に接続されるモータと接続される第四回転軸が固定的に接続され、前記第四ス  ルーホールの後側内壁の中には開口が前向きの第六凹溝が設置され、前記第六凹溝と前記  第四スライドキャビティとが連通し、前記ラックの後端には前記第六凹溝の中に延伸し且  つ前記ラックと左右にスライドできる第四スライドブロックが固定的に接続され、前記第  四スライドキャビティの中には上下にスライドでき且つ下端が前記第四スライドブロック  と係合する第五スライドブロックが設置され、前記第四スライドキャビティの前後側内壁  の中には開口が向かい合うガイドスライド溝が対称的に設置され、前記第五スライドブロ  ックの前後端には前記ガイドスライド溝の中に延伸する第一ガイドスライドブロックが固  定的に接続され、前記第一ガイドスライドブロックの下端に戻しばねが固定的に接続され  、前記第二歯車の軸心には下端が前記第五スライドブロックに回転できるように接続される第五回転軸が固定的に接続され、前記第四スライドキャビティの中に且つ前記第二歯車の  下側には前記第五回転軸と固定的に接続される第七歯車が設置される。
【０００７】
更の技術プラン、前記昇降装置が前記第四スライドキャビティの中に設置され且つ前記第  七歯車と噛合できる第八歯車を含み、前記第四スライドキャビティの前側内壁の中に第二  回転キャビティが設置され、前記第八歯車の軸心には前記第二回転キャビティの中に延伸  する第六回転軸が固定的に接続され、前記第六回転軸の前端に回転できる第九歯車が固定  的に接続され、前記第九歯車の下端には回転できる第十歯車が噛合係合接続され、前記第  十歯車の軸心には前記キャビティを通り抜けて前記第三スライドキャビティの中まで延伸  し且つ回転できるねじボルトが固定的に接続され、前記ねじボルトには上下にスライドで  きる第六スライドブロックが螺合接続され、前記第六スライドブロックの前端には下端が  前記インテリジェントＬＥＤランプに固定的に接続される第七スライドブロックが固定的に  接続され、前記キャビティのうち前記インテリジェントＬＥＤランプの前側には下端が前記  第三スライドキャビティの中に延伸するガイドスライドレバーが設置され、前記第七スラ  イドブロックの前端には前記ガイドスライドレバーとスライドで係合接続される第二ガイ  ドスライドブロックが固定的に接続され、前記キャビティと前記第三スライドキャビティ  との間には前記第四スルーホールに位置合わせ且つ前記インテリジェントＬＥＤランプを通  過させることができる第五スルーホールが連通設置される。
【発明の効果】
【０００８】
本発明の有益な効果は下記の通りである。
【０００９】
断続開閉装置を設置することにより、インテリジェントＬＥＤランプとランプシェードとの  間に係合を形成することができ、ランプがより多くの光の組み合わせを持つ；
【００１０】
切換え装置を設置することにより、モータが昇降装置と断続開閉装置をそれぞれ駆動する  ことができ、装置のコストを節約し、エネルギー消耗も節約し、装置の設計がより巧妙に  なる；
【００１１】
昇降装置を設置することにより、インテリジェントＬＥＤランプが装置の外部まで下降する  ことができ、照明効果を高め、またインテリジェントＬＥＤランプがランプシェードの中に  位置するとき、ランプシェードがインテリジェントＬＥＤランプを損傷から保護することも  できる；  
【００１２】
本発明のランプ及びランプシェードは全体構造がより合理で巧妙であり、使いやすく、光  のモードが多く、照明効果がよく、使用安全性が高く、高い使用及び普及価値がある。
【図面の簡単な説明】
【００１３】
【図１】図１は本発明のクラウドコンピューティングにより制御されるインテリジェ  ントＬＥＤランプ及びそのランプシェードの内部全体構成略図
【図２】図２は本発明の図１の「Ａ−Ａ」方向の断面図
【図３】図３は本発明の図２の「Ｂ−Ｂ」方向の断面図
【発明を実施するための形態】
【００１４】
下記に図１〜３をあわせて本発明について詳しく説明し、便利に説明するために、下記の方  向を以下のように規定する：以下に述べる上下左右前後の方向と図１の上下左右前後の方  向とが一致である。
【００１５】
図１〜３が示すように、本発明の実施例によるクラウドコンピューティングにより制御され  るインテリジェントＬＥＤランプ及びそのランプシェードは、装置主体１０、前記装置主体１０  の中に設置される断続開閉装置、前記装置主体１０の中に設置される切換え装置及び前記装  置主体１０の中に設置される昇降装置を含み、前記断続開閉装置が前記装置主体１０の中に設  置されるキャビティ１１を含み、前記キャビティ１１の上側内壁の中に第一スライドキャビテ  ィ１２が設置され、前記キャビティ１１の左右側内壁の中には前記第一スライドキャビティ１２  に連通する第二スライドキャビティ１３が対称で設置され、前記キャビティ１１の下側内壁の  中には前記第二スライドキャビティ１３の下側と連通する第三スライドキャビティ１４が設置  され、前記第一スライドキャビティ１２の中には上下にスライドできる第一スライドブロッ  ク１５が設置され、前記第一スライドブロック１５の左右端には対称的な且つ前記第二スライ  ドキャビティ１３の中に延伸する上下にスライドできる第二スライドブロック１６が固定的に  接続され、前記第二スライドブロック１６の下端が前記第三スライドキャビティ１４の中に延  伸し、前記第二スライドブロック１６の下端には上下にスライドできる第三スライドブロッ  ク１７が固定的に接続され、前記第三スライドブロック１７の下端に振動ばね１８が固定的に接  続され、前記キャビティ１１の中にインテリジェントＬＥＤランプ１９が設置され、前記第一ス  ライドキャビティ１２の上側内壁の中に開口が下向きの第一凹溝２０が連通設置され、前記キ  ャビティ１１の後側内壁の中に第四スライドキャビティ２１が設置され、前記第四スライドキ  ャビティ２１の後側内壁の中に開口が前向きの第二凹溝２２が設置され、前記第二凹溝２２の上  側内壁の中にモータ２３が固設され、前記モータ２３の下端に前記第二凹溝２２の中に延伸する  第一回転軸２４が接続され、前記第一回転軸２４の下端に回転できる第一歯車２５が  固定的に接続され、前記第一歯車２５の前端が前記第四スライドキャビティ２１の中に延伸し  、前記第一歯車２５の前端に回転できる第二歯車２６が噛合係合接続され、前記第四スライド  キャビティ２１の前側内壁の中に開口が後ろ向きの第三凹溝２７が設置され、前記第三凹溝２７  の中に後端が前記第四スライドキャビティ２１の中に延伸し且つ前記第二歯車２６と噛合係合接続される第三歯車２８が設置され、前記第三凹溝２７の上側内壁の中に第一回転キャビティ  ２９が設置され、前記第三歯車２８の軸心に前記第一回転キャビティ２９の中に延伸し且つ回転  できる第二回転軸３０が固定的に接続され、前記第二回転軸３０の上端に回転できる第四歯車  ３１が固定的に接続され、前記第四歯車３１の前端に回転できる第五歯車３２が噛合係合接続さ  れ、前記第五歯車３２の軸心に前記第一凹溝２０の中に延伸する第三回転軸３３が固定的に接続  され、前記第一凹溝２０の中には前記第三回転軸３３と固定的に接続され且つ前記第一スライ  ドブロック１５と当接できるカム３４が設置され、前記キャビティ１１と前記第二スライドキャ  ビティ１３との間に第一スルーホール３５が連通設置され、前記第二スライドブロック１６には  左右に貫通し且つ前記第一スルーホール３５と位置合わせることができる第二スルーホール  ３６が設置され、前記第二スライドキャビティ１３の外側内壁の中には外部まで左右に貫通し  且つ前記第一スルーホール３５と位置合わせる第三スルーホール３７が設置される。
【００１６】
有益なまた例を示すように、前記切換え装置が前記第三スライドキャビティ１４の下側内壁  の中に設置され外部まで上下に貫通する第四スルーホール３８を含み、前記第四スルーホー  ル３８の左側内壁の中に開口が右向きの第四凹溝３９が設置され、前記第四凹溝３９の中には前  記第四スルーホール３８の中まで左右にスライドできるラック４０が設置され、前記第四凹溝  ３９の上側内壁の中に開口が下向きの第五凹溝４１が設置され、前記第五凹溝４１の中には下端  が前記ラック４０と噛合係合接続される第六歯車４２が設置され、前記第六歯車４２の軸心には  後端が前記第五凹溝４１の後側内壁と固定的に接続されるモータと接続される第四回転軸４３が固定的に接続され、前記第四スルーホール３８の後側内壁の中には開口が前向  きの第六凹溝４４が設置され、前記第六凹溝４４と前記第四スライドキャビティ２１とが連通し  、前記ラック４０の後端には前記第六凹溝４４の中に延伸し且つ前記ラック４０と左右にスライ  ドできる第四スライドブロック４５が固定的に接続され、前記第四スライドキャビティ２１の  中には上下にスライドでき且つ下端が前記第四スライドブロック４５と係合する第五スライ  ドブロック４６が設置され、前記第四スライドキャビティ２１の前後側内壁の中には開口が向  かい合うガイドスライド溝４７が対称的に設置され、前記第五スライドブロック４６の前後端  には前記ガイドスライド溝４７の中に延伸する第一ガイドスライドブロック４８が固定的に接  続され、前記第一ガイドスライドブロック４８の下端に戻しばね４９が固定的に接続され、前  記第二歯車２６の軸心には下端が前記第五スライドブロック４６に回転できるように接続される第五回転軸５０が固定的に接続され、前記第四スライドキャビティ２１のうち前記第二歯車２６  の下側には前記第五回転軸５０と固定的に接続される第七歯車５１が設置される。
【００１７】
有益なまた例を示すように、前記昇降装置が前記第四スライドキャビティ２１の中に設置さ  れ且つ前記第七歯車５１と噛合できる第八歯車５２を含み、前記第四スライドキャビティ２１の  前側内壁の中に第二回転キャビティ５３が設置され、前記第八歯車５２の軸心には前記第二回  転キャビティ５３の中に延伸する第六回転軸５４が固定的に接続され、前記第六回転軸５４の前  端に回転できる第九歯車５５が固定的に接続され、前記第九歯車５５の下端には回転できる第  十歯車５６が噛合係合接続され、前記第十歯車５６の軸心には前記キャビティ１１を通り抜けて  前記第三スライドキャビティ１４の中まで延伸し且つ回転できるねじボルト５７が固定的に接  続され、前記ねじボルト５７には上下にスライドできる第六スライドブロック５８が螺合接続  され、前記第六スライドブロック５８の前端には下端が前記インテリジェントＬＥＤランプ１９  と固定的に接続される第七スライドブロック５９が固定的に接続され、前記キャビティ１１の  うち前記インテリジェントＬＥＤランプ１９の前側には下端が前記第三スライドキャビティ１４  の中に延伸するガイドスライドレバー６０が設置され、前記第七スライドブロック５９の前端  には前記ガイドスライドレバー６０とスライドで係合接続される第二ガイドスライドブロッ  ク６１が固定的に接続され、前記キャビティ１１と前記第三スライドキャビティ１４との間には  前記第四スルーホール３８に位置合わせ且つ前記インテリジェントＬＥＤランプ１９を通過させ  ることができる第五スルーホール６２が連通設置される。
【００１８】
本装置を使用するとき、クラウドコンピューティングにより制御されることができるインテリジェントＬＥＤランプ１９をオンにし、インテリジェントＬＥＤランプ１９がクラウドコンピューティングにより異なる照明モードを変換することができ、インテリジェントＬＥＤランプ１９をオンにした後、光が第一スルーホール３５及び第三スルーホール３７により外部に屈折し、モータ２３を起動し、モータ２３が第一回転軸２４を駆動し回転させ、第一回転軸２４が第一歯車２５を駆動し回転させ、第一歯車２５が第二歯車２６を駆動し回転させ、第二歯車２６が第三歯車２８を駆動し回転させ、第三歯車２８が第二回転軸３０を駆動し回転させ、第二回転軸３０が第四歯車３１を駆動し回転させ、第四歯車３１が第五歯車３２を駆動し回転させ、第五歯車３２が第三回転軸３３を駆動し回転させ、第三回転軸３３がカム３４を駆動し回転させ、カム３４の突起端が第一スライドブロック１５に接触すると、第一スライドブロック１５を押して下へスライドさせ、第一スライドブロック１５が第二スライドブロック１６を押して下へスライドさせ、第二スライドブロック１６が第三スライドブロック１７を押して下へスライドさせ、第三スライドブロック１７が下にスライドし振動ばね１８を下に押出し、このとき第二スライドブロック１６にある第二スルーホール３６が第一スルーホール３５及び第三スルーホール３７と徐々に位置ずれをし、インテリジェントＬＥＤランプ１９の外部へ射すの光が少なくなり、第一スライドブロック１５が最下側までスライドするとき、第二スルーホール３６が第一スルーホール３５及び第三スルーホール３７と完全に位置ずれをし、カム３４の突起部と第一スライドブロック１５とが徐々に離れるとき、振動ばね１８の弾力により第三スライドブロック１７、第二スライドブロック１６及び第一スライドブロック１５が上にスライドし、第二スルーホール３６が第一スルーホール３５及び第三スルーホール３７とは、まず位置合わせる状態に回復し、それから上に位置ずれをし、カム３４と振動ばね１８との係合により第二スルーホール３６を断続的に開閉させ、通常の照明が需要な場合、第四回転軸４３の後端のモータを起動し、第四回転軸４３が回転し第六歯車４２を駆動し回転させ、第六歯車４２が回転しラック４０を駆動し左にスライドさせ、ラック４０が第四スライドブロック４５を駆動し左にスライドさせ、第四スライドブロック４５が左にスライドし第五スライドブロック４６を駆動し上にスライドさせ、第五スライドブロック４６が上にスライドし第二歯車２６を第一歯車２５及び第三歯車２８との噛合から離れさせ、第七歯車５１と第八歯車５２とが噛合し、モータ２３を起動し、モータ２３が第一回転軸２４を駆動し回転させ、第一回転軸２４が第一歯車２５を駆動し回転させ、第一歯車２５が第二歯車２６を駆動し回転させ、第二歯車２６が第五回転軸５０を駆動し回転させ、第五回転軸５０が第七歯車５１を駆動し回転させ、第五スライドブロック４６が上にスライドし、第二歯車２６と第一歯車２５及び第三歯車２６とを噛合状態から離脱させると、第七歯車５１が第八歯車５２を駆動し回転させ、第八歯車５２が第六回転軸５４を駆動し回転させ、第六回転軸５４が第九歯車５５を駆動し回転させ、第九歯車５５が第十歯車５６を駆動し回転させ、第十歯車５６がねじボルト５７を駆動し回転させ、ねじボルト５７が第六スライドブロック５８を駆動し下にスライドさせ、第六スライドブロック５８が第七スライドブロック５９を駆動し下にスライドさせ、第七スライドブロック５９がインテリジェントＬＥＤランプ１９を駆動し外部まで下にスライドさせ、インテリジェントＬＥＤランプ１９をオンにすると通常の照明効果が実現できる。
【００１９】
本分野の技術者が明確できるのは、本発明の総体精神や発想から離脱しない場合で、以上  の実施例に各種な変形ができ、それらの変形がすべて本発明の保護範囲にある。本発明の  保護方案は本発明の権利要求書を標準とすべきである